(57)【要約】【課題】映像情報格納媒体に格納されている情報を別途記憶させておくことなく、スキップ不可の再生箇所を早く終了させることのできる映像情報再生装置を得る。【解決手段】映像情報再生部１３は、再生箇所のスキップおよび早送りの可否を取得し、制御部１５は、映像情報再生部１３が取得したスキップおよび早送りの可否を取得し、操作入力部よりスキップをすべき旨の操作信号を受け取った際、その時点での再生箇所がスキップ不可かつ早送り可である場合には、記憶部１６より所定の画像データを読み出し、その再生箇所を早送りするよう映像情報再生部１３に指示するとともに、映像信号処理部１４に所定の画像データの内容の映像信号を出力させる。【選択図】図２
2009118387.tif 000002
【特許請求の範囲】
【請求項１】
映像情報格納媒体に格納された映像情報を再生する映像情報再生部と、
前記映像情報再生部が再生する映像情報に基づき出力映像信号を生成する映像信号処理部と、
所定の画像データを格納した記憶部と、
前記映像情報再生部および前記映像信号処理部の動作を制御する制御部と、
操作入力を受け付けて前記制御部にその操作信号を出力する操作入力部と、
を備え、
前記映像情報再生部は、
再生箇所のスキップおよび早送りの可否を取得し、
前記制御部は、
前記映像情報再生部が取得したスキップおよび早送りの可否を取得し、
前記操作入力部よりスキップをすべき旨の操作信号を受け取った際、
その時点での再生箇所がスキップ不可かつ早送り可である場合には、
前記記憶部より前記所定の画像データを読み出し、
その再生箇所を早送りするよう前記映像情報再生部に指示するとともに、
前記映像信号処理部に前記所定の画像データの内容の映像信号を出力させる
ことを特徴とする映像情報再生装置。
【請求項２】
前記制御部は、
前記操作入力部よりスキップをすべき旨の操作信号を受け取り、
その再生箇所を早送りしている場合において、
早送りをしている再生箇所の終了を検知すると、
早送りを終了するよう前記映像情報再生部に指示するとともに、
前記所定の画像データの内容の映像信号出力を停止するよう前記映像信号処理部に指示する
ことを特徴とする請求項１に記載の映像情報再生装置。
【請求項３】
請求項１または請求項２に記載の映像情報再生装置と、
前記出力映像信号に基づき画像を表示する画像表示部と、
を備えたことを特徴とする画像表示装置。
【請求項４】
請求項１または請求項２に記載の映像情報再生装置と、
前記出力映像信号に基づき映像を投射する投射部と、
を備えたことを特徴とするプロジェクタ。
【請求項５】
所定の画像データを格納した記憶手段と、
操作入力を受け付けてその操作信号を出力する操作入力手段と、
を備えた映像情報再生装置の映像再生動作を制御する方法であって、
映像再生箇所のスキップおよび早送りの可否を取得するステップを有し、
前記操作入力手段よりスキップをすべき旨の操作信号を受け取った際、
その時点での再生箇所がスキップ不可かつ早送り可である場合には、
前記記憶手段より前記所定の画像データを読み出し、
その再生箇所を早送りさせるとともに、
前記所定の画像データの内容の映像信号を出力させる
ことを特徴とする映像情報再生装置の制御方法。
【発明の詳細な説明】
【技術分野】
【０００１】
本発明は、映像情報を再生する装置、その装置を備えた画像表示装置およびプロジェクタ、並びに映像情報再生装置の制御方法に関するものである。
【背景技術】
【０００２】
従来、ＤＶＤビデオプレーヤに関し、特許文献１に、「ＤＶＤビデオディスクをプレーヤに装填すると、自動的に宣伝映像が再生されるものが多く、同じＤＶＤを再生するたびに同じ宣伝映像を見ることは苦痛であり、ディスク製造会社等にとっても逆に会社のイメージを損ねる。」ことを課題とした技術として、「装填されたディスクがこのプレーヤで初回再生の時には、ＤＶＤビデオデータ中からディスク識別記号と、宣伝映像等の自動再生不要な付属映像のデータ部分に記録されている、Ｓｔｏｐ操作とＦＦ操作が可能か否かのユーザ操作制御情報を取込み、メモリテーブル１９にディスク識別記号毎に記録する。２回目以降の再生時にはメモリテーブルのデータから、Ｓｔｏｐ操作が可能のディスクでは直ちにＳｔｏｐ操作を行い続いてＰｌａｙ操作を行う。それにより、プレーヤの特性により本編の映像の最初の部分にスキップする。Ｓｔｏｐ操作が無効でＦＦ操作が可能の時にはタイトルが変更されるまでＦＦ操作を行う。」というものが提案されている（要約）。
【０００３】
【特許文献１】特開２００１−２９１３７７号公報
【発明の開示】
【発明が解決しようとする課題】
【０００４】
上記特許文献１に記載の技術では、ＤＶＤビデオプレーヤで同じＤＶＤを複数回再生する場合を前提としている。
しかし、例えばレンタルＤＶＤの場合は、１回視聴するとそのＤＶＤは返却することが多く、１回の視聴のためにユーザ操作制御情報等のための記憶容量を必要とすることになるので、コストの観点から課題がある。
【０００５】
本発明は、上記のような課題を解決するためになされたものであり、映像情報格納媒体に格納されている情報を別途記憶させておくことなく、スキップ不可の再生箇所を早く終了させることのできる映像情報再生装置を得ることを目的とする。
【課題を解決するための手段】
【０００６】
本発明に係る映像情報再生装置は、映像情報格納媒体に格納された映像情報を再生する映像情報再生部と、前記映像情報再生部が再生する映像信号を処理する映像信号処理部と、所定の画像データを格納した記憶部と、前記映像情報再生部および前記映像信号処理部の動作を制御する制御部と、操作入力を受け付けて前記制御部にその操作信号を出力する操作入力部と、を備え、前記映像情報再生部は、再生箇所のスキップおよび早送りの可否を取得し、前記制御部は、前記映像情報再生部が取得したスキップおよび早送りの可否を取得し、前記操作入力部よりスキップをすべき旨の操作信号を受け取った際、その時点での再生箇所がスキップ不可かつ早送り可である場合には、前記記憶部より前記所定の画像データを読み出し、その再生箇所を早送りするよう前記映像情報再生部に指示するとともに、前記映像信号処理部に前記所定の画像データの内容の映像信号を出力させる。
そのため、スキップ不可かつ早送り可の映像に対してスキップを指示した際には、早送りを実行し、ユーザの体感上スキップと類似した動作を行うことができる。これにより、視たくない映像にスキップ不可が設定されている場合でも、その映像を早く終了させることができる。
【０００７】
また、上述の早送りを行っている際は、前記所定の画像データの内容が画面表示されるので、早送り中の目まぐるしく変わる画面をユーザに見せることがなく、ユーザの目にかける負担を軽減することができる。
【０００８】
また、本発明に係る映像情報再生装置において、前記制御部は、前記操作入力部よりスキップをすべき旨の操作信号を受け取り、 その再生箇所を早送りしている場合において、早送りをしている再生箇所の終了を検知すると、早送りを終了するよう前記映像情報再生部に指示するとともに、前記所定の画像データの内容の映像信号出力を停止するよう前記映像信号処理部に指示する。
そのため、スキップ操作と同様に、一度操作入力を行うだけで次の再生箇所まで再生位置を飛ばすことができるので、実質的にスキップと同様の動作となり、ユーザにとって便宜である。
【０００９】
また、本発明に係る画像表示装置は、上記のいずれかに記載の映像情報再生装置と、前記出力映像信号に基づき画像を表示する画像表示部と、を備える。
そのため、上記に記載の映像情報再生装置と同様に、視たくない映像を飛ばすことができ、上記の映像情報再生装置と同様の効果を発揮することができる。
【００１０】
また、本発明に係るプロジェクタは、上記のいずれかに記載の映像情報再生装置と、前記出力映像信号に基づき映像を投射する投射部と、を備える。
そのため、上記に記載の映像情報再生装置と同様に、視たくない映像を飛ばすことができ、上記の映像情報再生装置と同様の効果を発揮することができる。
【００１１】
また、本発明に係る映像情報再生装置の制御方法は、所定の画像データを格納した記憶手段と、操作入力を受け付けてその操作信号を出力する操作入力手段と、を備えた映像情報再生装置の映像再生動作を制御する方法であって、映像再生箇所のスキップおよび早送りの可否を取得するステップを有し、前記操作入力手段よりスキップをすべき旨の操作信号を受け取った際、その時点での再生箇所がスキップ不可かつ早送り可である場合には、前記記憶手段より前記所定の画像データを読み出し、その再生箇所を早送りさせるとともに、前記所定の画像データの内容の映像信号を出力させる。
そのため、スキップ不可かつ早送り可の映像に対してスキップを指示した際には、早送りを実行し、ユーザの体感上スキップと類似した動作を行うように、映像情報再生装置の映像再生動作を制御することができる。
これにより、視たくない映像にスキップ不可が設定されている場合でも、その映像を早く終了させることができる。
【発明を実施するための最良の形態】
【００１２】
実施の形態１．
図１は、本発明の実施の形態１に係る映像情報再生装置１０の機能ブロック図である。
映像情報再生装置１０は、ＤＶＤを再生するための装置である。映像情報再生装置１０は、再生する映像をディスプレイ２０に出力し、ユーザはディスプレイ２０で再生映像を視聴する。
映像情報再生装置１０は、操作パネル１１、操作信号処理部１２、ＤＶＤ再生部１３、映像信号処理部１４、制御部１５、記憶部１６を備える。
【００１３】
操作パネル１１は、映像情報再生装置１０の本体筐体の外面に設けられ、ユーザの操作情報を受け付けるためのものである。
ユーザが操作パネル１１に配置されたキーを押下等すると、それに対応した操作信号が操作信号処理部１２に出力される。
操作信号処理部１２は、操作パネル１１が出力した操作信号を受け取り、デジタル信号に変換するなどの処理を施して、制御部１５に出力する。
特許請求の範囲における「操作入力部」は、操作パネル１１と操作信号処理部１２がこれに相当する。
【００１４】
ＤＶＤ再生部１３は、ＤＶＤをセットするトレーや光学ヘッドなどを適宜備え、ＤＶＤに格納されている映像情報を読み取って、映像信号として再生する。再生された映像信号は、映像信号処理部１４に出力される。
特許請求の範囲における「映像情報再生部」は、ＤＶＤ再生部１３がこれに相当する。
また、「映像情報格納媒体」は、ＤＶＤがこれに相当する。
【００１５】
映像信号処理部１４は、ＤＶＤ再生部１３から受け取った映像信号と制御部１５の指示に基づいてデジタルの出力映像信号を生成し、ディスプレイ２０に出力する。
映像信号処理部１４は、マイクロプロセッサ等により構成され、内蔵したプログラムを実行することにより、上記の処理を行う。
映像信号処理部１４とディスプレイ２０は、適当な映像信号ケーブルなどにより接続される。
【００１６】
制御部１５は、ＤＶＤ再生部１３および映像信号処理部１４の動作を制御する。
また、記憶部１６に格納されている後述の画像データを読み取り、ＤＶＤの再生箇所がスキップ不可である場合に、後述のような早送り動作と画像データ表示をするよう各部に指示する。
制御部１５は、その機能を実現する回路デバイスのようなハードウェアで構成することもできるし、マイコンやＣＰＵのような演算装置とその動作を規定する制御プログラムで構成することもできる。
【００１７】
記憶部１６は、後述する画像データを格納している。画像データの形式は、制御部１５が解釈できるものであれば、任意のものでよい。例えば、ＪＰＥＧやＢＭＰのような標準的な画像形式であれば、処理の上で便宜である。
記憶部１６は、ＨＤＤ（Ｈａｒｄ  Ｄｉｓｋ  Ｄｒｉｖｅ）やフラッシュＲＯＭのような記憶装置で構成することができる。
【００１８】
以上、図１の各機能ブロックについて説明した。
次に、本発明の背景として、ＤＶＤの再生をスキップ（または停止）したいケースについて説明する。
【００１９】
例えばレンタルＤＶＤの場合、本編を再生する前の段階で、予告編や広告の映像が挿入されている場合がある。これらの映像は、ユーザが確実に視聴するように、スキップや停止ができないよう設定されていることがある。
この場合、ユーザはこれらの映像を視ることを強制され、またこれらの映像は、ＤＶＤによっては例えば１０分以上におよぶこともある。
【００２０】
ユーザは、これらの映像を見たくない場合は、スキップまたは早送りをする。
スキップを行う場合、ユーザはスキップキーを一度押下するだけで、再生位置を次の再生箇所（例えば次のＴＩＴＬＥやＣＨＡＰＴＥＲ）まで飛ばすことができるので便利であるが、上述のようにこれらの映像はスキップができないよう設定されている。
そこでユーザは、これらの映像を早送りして、早く本編の映像を視聴しようとする。
【００２１】
しかし、早送りの場合は、スキップと異なり早送りを解除しない限り映像の早送りが継続されるので、本編の再生が始まった時点で早送りを解除するよう、早送り再生される画面を注視しなければならず、ユーザにとって不便であった。
また、早送り再生している画面は映像が目まぐるしく変わるため、ユーザの目に負担をかけてしまう。
【００２２】
一方、上記特許文献１に記載の技術は、ＤＶＤの初回再生時に、ＤＶＤに格納されている情報をＤＶＤビデオプレーヤに一旦格納しておき、２回目以降の再生時にその情報を利用して、本編の映像に早く到達する、というものである。
しかし、レンタルＤＶＤのように、１回視聴すると返却することが多いＤＶＤの場合には、このような方式は用いることができない。また、ＤＶＤに格納されている情報を格納する記憶領域をＤＶＤビデオプレーヤ（または周辺機器）内に必要とするため、一定のコストが発生してしまう。
【００２３】
そこで、本実施の形態１では、ＤＶＤに格納されている情報を格納する記憶領域を、映像情報再生装置１０（または周辺機器）内に設けることなく、スキップが禁止されている映像を早く終了させる手法を提案する。
また、本実施の形態１では、早送り再生している画面によりユーザの目にかける負担を軽減することを併せて図る。
【００２４】
以上、ＤＶＤの再生をスキップしたいケースについて説明した。
次に、早く本編映像に到達する具体的な手順について説明する。
【００２５】
図２は、予告編や広告などの映像を早く終了して本編映像に到達する際の画面表示の遷移を示す例である。以下、図２の各ステップについて説明する。
【００２６】
（ａ）ＤＶＤ挿入時
ユーザは、映像情報再生装置１０のＤＶＤ再生部１３に、ＤＶＤをセットする。
ＤＶＤの最初の方では、予告編や広告などの映像が挿入されており、これらの映像が再生される。
（ｂ）スキップキー押下
ユーザは、早く本編映像を視たいため、操作パネル１１に備えられているスキップキーを押下する。しかし、予告編や広告などの映像は、スキップができないよう設定されている。
【００２７】
（ｃ１）早送り中の画面表示
映像情報再生装置１０は、予告編や広告などの映像のスキップに代えて、これらの映像を最速で早送りする。このとき、画面上では、ユーザに待機を促す画像が表示されており、ユーザに早送り中の目まぐるしく変わる画面を見せないようにする。
（ｃ２）バックグラウンドでの処理
映像情報再生装置１０は、待機を促す画像を表示している裏側で、ＤＶＤを最速で早送りする。
【００２８】
（ｄ）早送り終了
映像情報再生装置１０は、予告編や広告などの映像の終了を検知すると、表示していた待機を促す画像を画面から消し、通常のＤＶＤ再生動作に戻る。以後、本編映像が再生される。
【００２９】
以上、早く本編映像に到達する際の画面遷移について、図２を用いて説明した。
次に、映像情報再生装置１０が図２の動作を行う際の内部的な処理を説明する。
【００３０】
図３は、映像情報再生装置１０が操作パネルよりスキップ操作入力を受け付けた際の処理フローである。以下、各ステップについて説明する。
【００３１】
（Ｓ３０１）
ユーザは、操作パネル１１に設けられているスキップキーを押下する。
スキップをすべき旨の操作信号が、操作パネル１１、操作信号処理部１２を介して制御部１５に出力される。制御部１５はその信号を受け取り、本処理フローが開始される。
（Ｓ３０２）
ＤＶＤ再生部１３は、現在の再生箇所のＵＯＰ（ユーザ・オペレーション・コントロール）情報を取得する。取得のタイミングは、当該ＤＶＤを再生開始したときでもよいし、制御部１５に指示されたときでもよい。
制御部１５は、ＤＶＤ再生部１３が取得したＵＯＰ情報を受け取る。
【００３２】
（Ｓ３０３）
制御部１５は、ステップＳ３０２で取得したＵＯＰ情報に基づき、現在の再生箇所がスキップ可であるか否かを判定する。
スキップ可であればステップＳ３１０へ進み、スキップ不可であればＳ３０４へ進む。
（Ｓ３０４）
制御部１５は、ステップＳ３０２で取得したＵＯＰ情報に基づき、現在の再生箇所が早送り可であるか否かを判定する。
早送り可であればステップＳ３０５へ進み、早送り不可であればＳ３１１へ進む。
【００３３】
（Ｓ３０５）
制御部１５は、記憶部１６に格納されている画像データを読み出す。
次に、制御部１５は、読み出した画像データの内容を映像信号処理部１４に引渡し、その画像の内容の映像信号を出力するように指示する。ここでいう画像とは、図２の（ｃ１）に示しているような、ユーザに待機を促す画像である。
映像信号処理部１４は、受け取った画像データの内容の映像信号を出力する。ディスプレイ２０には、その画像が画面表示される。
（Ｓ３０６）
制御部１５は、ＤＶＤを最高速で早送りするよう、ＤＶＤ再生部１３に指示を出す。
ＤＶＤ再生部１３は、ＤＶＤを最高速で早送りする。
この間、ディスプレイ２０には、画像データの内容が表示されている。
【００３４】
（Ｓ３０７）
制御部１５は、現在の再生箇所が終了したか否かを判定する。
ここでいう「再生箇所が終了したか否か」の判定とは、仮に現在の再生箇所でスキップを行ったとした場合の飛び先の再生箇所まで、早送り再生が到達したか否かを判定するものである。
判定の手法は、例えばＤＶＤ再生部１３より再生箇所の終了の旨を受け取るようにしてもよいし、再生箇所の終了位置のポインタをあらかじめ取得しておき、早送りの位置がそのポインタに達した時点で早送り終了とするようにしてもよい。その他、これら以外の手法でもよい。
現在の再生箇所が終了したことを検知していなければ本ステップを継続し、終了したことを検知すればステップＳ３０８へ進む。
【００３５】
（Ｓ３０８）
制御部１５は、画像データの内容の映像信号を出力することを停止するよう、映像信号処理部１４に指示を出す。
映像信号処理部１４は、通常の映像再生状態に戻り、ＤＶＤ再生部１３が再生する映像信号の出力を行う。
（Ｓ３０９）
ＤＶＤ再生部１３は、早送り動作を終了して次の再生箇所を再生する。以後は通常のＤＶＤ再生動作となる。
【００３６】
（Ｓ３１０）
制御部１５は、現在の再生箇所をスキップするよう、ＤＶＤ再生部１３に指示する。
ＤＶＤ再生部１３は、現在の再生箇所をスキップする。
（Ｓ３１１）
制御部１５は、スキップ不可の旨のメッセージを表す映像信号を出力するよう、映像信号処理部１４に指示する。映像信号処理部１４は、その旨の映像信号を出力する。
【００３７】
以上、スキップ操作入力を受け付けた際の処理フローを説明した。
なお、「再生箇所」とは、例えば以下の（１）〜（２）のようなものが相当する。
【００３８】
（１）予告編や広告の映像は、本編映像とは独立し、ＤＶＤ−ＶＩＤＥＯ規格上の１つの「ＴＩＴＬＥ」を構成している場合がある。この場合、「再生箇所」とは、１つの「ＴＩＴＬＥ」に相当する。
【００３９】
（２）「ＴＩＴＬＥ」の他、「ＣＨＡＰＴＥＲ」などの映像ブロックを構成している場合もあり得る。この場合、「再生箇所」とは、１つの「ＣＨＡＰＴＥＲ」に相当する。
もっとも、実際上は、「ＣＨＡＰＴＥＲ」がスキップ不可に設定されていることは少ないであろう。
【００４０】
即ち、本実施の形態１における「再生箇所」とは、換言すると、スキップを実行した場合に再生が飛ばされる映像単位のことである。具体的には、再生するＤＶＤの仕様や映像ブロックの構成によって、上記（１）〜（２）に例示したようにそれぞれ異なる。
【００４１】
以上のように、本実施の形態１に係る映像情報再生装置１０は、スキップをすべき旨の操作入力を受け取り、その時点での再生箇所がスキップ不可かつ早送り可である場合は、その再生箇所を最高速で早送りする。
これにより、スキップができないよう設定されている再生箇所でユーザがスキップを指示した場合は、スキップに代えて最高速早送りが行われるので、スキップに類似した動作を行うことができる。
特に、予告編や広告の映像のように、ユーザが早く終了させたい映像がスキップ不可である場合には、ユーザにとって便宜である。
【００４２】
また、本実施の形態１に係る映像情報再生装置１０は、上述の最高速早送りを行っている際に、記憶部１６に格納されている画像を表示させるように動作するので、早送りを行っている際にユーザの目にかける負担を軽減することができる。
【００４３】
また、本実施の形態１に係る映像情報再生装置１０は、上述の早送りをしている再生箇所が終了したことを検知すると、早送りを終了するとともに画像の表示を停止して通常のＤＶＤ再生動作に戻る。
そのため、１度操作入力を行うだけで次の再生箇所まで再生位置を飛ばすことができ、実質的にはスキップ動作とほぼ同様の動作となる。
そのため、ユーザにとっては視たくない再生箇所をスキップしたものとほぼ同様の動作となるので、ユーザにとって便宜である。
【００４４】
実施の形態２．
実施の形態１では、ユーザがスキップキーを押下した際に、その時点での再生箇所がスキップ可であるか否かを判定し、早送りなどを行う構成と動作例を説明した。
本発明の実施の形態２では、キーに関し実施の形態１と異なる構成例を説明する。
【００４５】
本実施の形態２において、操作パネル１１に、新たに第２スキップキーを設ける。
第２スキップキーは、再生箇所のスキップが不可で早送りが可である場合のみ動作するキーである。第２スキップキー押下時の動作は、実施の形態１におけるスキップキーと同様である。
また、新たに第２スキップキーを設けることに限らず、既存のその他のキーで同等の機能を実現するように構成してもよい。
【００４６】
いずれのキー構成で実施の形態１の機能を実現するにしても、そのキーを押下した際、映像情報再生装置１０は「スキップ」をすべき旨の操作信号を受け取り、図３で説明した処理フローを実行する。
なお、通常のスキップキーを押下した場合は「スキップ」すべき旨の操作信号、新たに構成したキーを押下した場合は「スキップ可である場合はスキップし、不可の場合は早送りをする」べき旨の操作信号、というように、「スキップ」の具体的内容をキーによって詳細に区別してもよい。
どのような操作信号を構成するかは、適宜設計すればよい。
【００４７】
また、以上の説明では、映像情報再生装置１０の操作パネル１１上に各キーを備える例を説明したが、リモコンに同様のキーを備える構成でも効果は同様である。
【００４８】
以上のように、本実施の形態２によれば、実施の形態１と同様の効果を発揮することができる。
また、スキップキーとは別に第２スキップキーを設けたので、通常のスキップ動作と本発明に係るスキップ動作を明示的に区別することができる。
【００４９】
実施の形態３．
以上の実施の形態１〜２では、映像情報再生装置１０は、ＤＶＤを再生することを説明した。しかし、本発明の適用対象は、ＤＶＤを再生するものに限られず、任意の映像情報格納媒体に格納された映像情報を再生する装置に適用することができる。
また、映像情報の種類も、ＤＶＤおよびその対応形式に限られるものではなく、任意の種類の映像情報を再生する映像情報再生装置について、本発明を適用することができる。
【００５０】
また、実施の形態１では、再生箇所のスキップ可否や早送り可否はＵＯＰ情報から取得することとしたが、ＤＶＤ以外の映像情報格納媒体を用いる場合は、その形式に合わせて適宜必要な情報を取得すればよい。
なお、ＵＯＰ情報に相当する情報が存在しない場合は、スキップや早送りの可否は問題とならないため、通常の再生動作を行えばよい。即ち、スキップや早送りができないように設定されていないため、通常の再生動作で足りる。
【００５１】
同様に、ＤＶＤ以外の映像情報格納媒体を用いる場合において、「再生箇所」は必ずしも「ＴＩＴＬＥ」や「ＣＨＡＰＴＥＲ」などの映像ブロックであるとは限らないため、これらと同等の単位に相当する映像ブロックを、早送りの対象とする「再生箇所」として取り扱えばよい。
即ち、スキップを実行した場合に再生が飛ばされる映像単位を、「再生箇所」として取り扱えばよい。
【００５２】
実施の形態４．
図４は、本発明の実施の形態４に係る画像表示装置３０の機能ブロック図と外観イメージを示すものである。図４（ａ）は機能ブロック図、（ｂ）は外観イメージである。
画像表示装置３０は、映像（画像を含む）を再生して画面表示し、ユーザに視聴画像を提供するものである。
【００５３】
画像表示装置３０は、実施の形態１〜３のいずれかで説明した映像情報再生装置１０と同様の構成（図４の操作パネル１１〜記憶部１６）を備えるとともに、画像表示部３１を備える。なお、図４では、実施の形態１と同様の構成を備えた例を図示した。
【００５４】
画像表示部３１は、例えば液晶ディスプレイ装置などで構成され、映像信号処理部１４より映像信号を受け取り、その映像を画面表示するものである。
図４において、画像表示部３１の下部には、画像表示部３１を支持する台座が備えられており、この台座の内部または表面に操作パネル１１〜記憶部１６が備えられている。
【００５５】
上記の説明では、画像表示部３１は液晶ディスプレイ装置などの自ら画像表示を行うことができるものとしたが、これに限るものではなく、最終的にユーザが画像を視ることができるものであれば、任意の構成を用いることができる。
【００５６】
以上のように、本実施の形態４によれば、画像表示装置３０は、実施の形態１〜３で説明した映像情報再生装置１０と同等の機能を備えることができる。
例えば、ＤＶＤ再生機能を備えたテレビやディスプレイ装置などにおいて、本実施の形態４と同様の構成を適用することにより、これらの装置がＤＶＤを再生するに際して、予告編や広告などの映像を早送りで飛ばすことができる。
【００５７】
実施の形態５．
図５は、本発明の実施の形態５に係るプロジェクタ４０の機能ブロック図である。
プロジェクタ４０は、映像をスクリーン５０に投射し、ユーザに視聴画像を提供するものである。
プロジェクタ４０は、実施の形態１〜３のいずれかで説明した映像情報再生装置１０と同様の構成（図５の操作パネル１１〜記憶部１６）を備えるとともに、投射部４１を備える。なお、図５では、実施の形態１と同様の構成を備えた例を図示した。
【００５８】
投射部４１は、光源、投射光学系などの映像投射に必要な構成を適宜備え、映像信号処理部１４より映像信号を受け取り、その映像を投射するものである。
【００５９】
以上のように、本実施の形態５によれば、プロジェクタ４０は、実施の形態１〜３で説明した映像情報再生装置１０と同等の機能を備えることができる。これにより、映像情報再生装置１０と同等の効果を発揮することができる。
なお、本発明は、ライトバルブとして液晶ライトバルブを用いたプロジェクタばかりでなくＤＭＤ（Ｄｉｇｉｔａｌ  Ｍｉｃｒｏｍｉｒｒｏｒ  Ｄｅｖｉｃｅ）を用いたプロジェクタにも適用できる。ＤＭＤは米国テキサスインスツルメンツ社の商標である。
【図面の簡単な説明】
【００６０】
【図１】実施の形態１に係る映像情報再生装置１０の機能ブロック図である。
【図２】予告編や広告などの映像を早く終了する際の画面表示の遷移例である。
【図３】スキップ操作入力を受け付けた際の処理フローである。
【図４】実施の形態４に係る画像表示装置３０の機能ブロック図である。
【図５】実施の形態５に係るプロジェクタ４０の機能ブロック図である。
【符号の説明】
【００６１】
１０  映像情報再生装置、１１  操作パネル、１２  操作信号処理部、１３  ＤＶＤ再生部、１４  映像信号処理部、１５  制御部、１６  記憶部、２０  ディスプレイ、３０  画像表示装置、３１  画像表示部、４０  プロジェクタ、４１  投射部、５０  スクリーン。
【図１】
2009118387.tif 000003
【図２】
2009118387.tif 000004
【図３】
2009118387.tif 000005
【図４】
2009118387.tif 000006
【図５】
2009118387.tif 000007